(57)【要約】【課題】コンパクトな構造でＣＡＮ通信システムを構築することが可能なワイヤハーネスを提供する。【解決手段】本発明に係るワイヤハーネス１００は、高圧側電線１０Ｈおよび低圧側電線１０Ｌを含む複数の電線１０が束ねられてなる幹線等の本体１２と、これに巻付けられる結束用テープ１８と、高圧側電線１０Ｈの端末に接続される高圧側ジョイントコネクタＪＣＨ及び低圧側電線１０Ｌの端末に接続される低圧側ジョイントコネクタＪＣＬとを備える。ジョイントコネクタＪＣＨ，ＪＣＬは、本体１２の結束状態を保持するための結束用テープ１８を用いてその本体１２の外周面上に固定される。【選択図】図２
2010086765.tif 000002
【特許請求の範囲】
【請求項１】
複数の電子機器からそれぞれ導出される高圧側電線および低圧側電線と、その高圧側電線同士及び低圧側電線同士をそれぞれ接続する接続回路とを含むＣＡＮ通信システムを構築するワイヤハーネスであって、
前記各高圧側電線及び前記各低圧側電線を含む複数の電線が束ねられてなるワイヤハーネス本体と、
このワイヤハーネス本体を構成する電線の周囲に巻付けられてその結束状態を保持する結束用テープと、
前記各高圧側電線の端末及び前記各低圧側電線の端末にそれぞれ設けられる電線側端子と、
前記各高圧側電線の端末に設けられた電線側端子同士を接続させるための高圧側ジョイントコネクタおよび前記各低圧側電線の端末に設けられた電線側端子同士を接続させるための低圧側ジョイントコネクタとを備え、
前記高圧側ジョイントコネクタは、互いに特定方向に並びかつ前記各高圧側電線の端末に設けられた電線側端子と嵌合可能な嵌合部とこれらの嵌合部を相互に接続させる接続部とを有する接続用導体と、この接続用導体を保持するとともに、当該接続用導体の各嵌合部に嵌合される電線側端子を受入れるように特定方向に開口する端子挿入口を有する絶縁ハウジングとを備え、
前記低圧側ジョイントコネクタは、互いに特定方向に並びかつ前記各低圧側電線の端末に設けられた電線側端子と嵌合可能な嵌合部とこれらの嵌合部を相互に接続させる接続部とを有する接続用導体と、この接続用導体を保持するとともに、当該接続用導体の各嵌合部に嵌合される電線側端子を受入れるように特定方向に開口する端子挿入口を有する絶縁ハウジングとを備え、
前記両ジョイントコネクタは、前記端子挿入口が前記ワイヤハーネス本体と略平行な方向に開口する姿勢で前記ワイヤハーネス本体の外周面上に配設され、前記結束用テープは前記両ジョイントコネクタの配設位置においてこれらのジョイントコネクタと前記ワイヤハーネス本体とに跨って巻き付けられることにより当該ジョイントコネクタを当該ワイヤハーネス本体上に固定することを特徴とするＣＡＮ通信システムを構築するワイヤハーネス。
【請求項２】
請求項１に記載のＣＡＮ通信システムを構築するワイヤハーネスにおいて、
前記両ジョイントコネクタの接続用導体は、単一の金属板からなり、これらをそれぞれ保持する絶縁ハウジングは、前記金属板の厚み方向に偏平な外形を有し、当該厚み方向と前記ワイヤハーネス本体の径方向とが略平行となる姿勢で当該ジョイントコネクタが当該ワイヤハーネス本体上に固定されることを特徴とするＣＡＮ通信システムを構築するワイヤハーネス。
【請求項３】
請求項２に記載のＣＡＮ通信システムを構築するワイヤハーネスにおいて、
前記各高圧側電線及び前記各低圧側電線の端末には全て互いに共通の構造を有する電線側端子が設けられ、前記両ジョイントコネクタにおける接続用導体の嵌合部は前記各電線側端子と嵌合可能な形状であって互いに同一の形状を有することを特徴とするＣＡＮ通信システムを構築するワイヤハーネス。
【請求項４】
請求項１〜３のいずれかに記載のＣＡＮ通信システムを構築するワイヤハーネスであって、
前記高圧側ジョイントコネクタ及び前記低圧側ジョイントコネクタは互いに近傍となる位置に配設されていることを特徴とするＣＡＮ通信システムを構築するワイヤハーネス。
【請求項５】
請求項４記載のＣＡＮ通信システムを構築するワイヤハーネスであって、
前記高圧側ジョイントコネクタ及び前記低圧側ジョイントコネクタは互いに周方向に隣接する位置に配設され、これらのジョイントコネクタを周方向に跨ぐように前記結束用テープが巻き付けられていることを特徴とするＣＡＮ通信システムを構築するワイヤハーネス。
【発明の詳細な説明】
【技術分野】
【０００１】
本発明は、自動車等の車両に設けられ、複数の電子機器同士の通信を可能にするＣＡＮ（Ｃｏｎｔｒｏｌｌｅｒ  Ａｒｅａ  Ｎｅｔｗｏｒｋ）通信システムを構築するワイヤハーネスに関するものである。
【背景技術】
【０００２】
複数の電子機器同士の間で通信を行うためのネットワークシステムとして、ＣＡＮ通信システムが知られている。このシステムは、前記各電子機器につながって互いに対をなす高圧側電線および低圧側電線と、前記各高圧側電線同士を接続するための高圧側導体と、前記各低圧側電線同士を接続するための低圧側導体とにより構築される。
【０００３】
従来、前記のようなＣＡＮ通信システムを構築するための具体的な手段として、特許文献１に記載されるような集線装置が知られている。その概要を図９に示す。
【０００４】
この装置は、複数の電子機器からそれぞれ導出される高圧側電線９０Ｈ及び低圧側電線９０Ｌの端末に装着されて当該電子機器ごとに対をなす複数の高圧側端子９２Ｈ及び低圧側端子９２Ｌと、これらの端子をその端子対ごとに保持する複数の端子ハウジング９４と、前記各高圧側端子９２Ｈ同士を接続させるための高圧側導体板９６Ｈと、前記各低圧側端子９２Ｌ同士を接続させるための低圧側導体板９６Ｌと、両導体板９６Ｈ，９６Ｌが上下２段に並んだ状態でこれらを保持する共通ハウジング９８とを備える。
【０００５】
前記各端子ハウジング９４は、前記共通ハウジング９８に所定方向から嵌入されることが可能な形状を有し、その嵌入により、当該端子ハウジング９４に保持されている高圧側端子９２Ｈが前記共通ハウジング９８内の高圧側導体板９６Ｈと嵌合するのと同時に、同じ端子ハウジング９４に保持されている低圧側端子９２Ｌが同じ共通ハウジング９８内の低圧側導体板９６Ｌに嵌合する。従って、前記共通ハウジング９８に前記各端子ハウジング９４が嵌入されることにより、当該各端子ハウジング９４に保持されている高圧側端子９２Ｈが共通の高圧側導体板９６Ｈに嵌合して相互接続されるとともに、低圧側端子９２Ｌも共通の低圧側導体板９６Ｌに嵌合して相互接続される。これにより、前記電子機器同士の通信を可能にするＣＡＮ通信システムが構築される。
【０００６】
なお、前記高圧側導体板９６Ｈと前記低圧側導体板９６Ｌとの間には、必要に応じて終端抵抗が介設される。その場合は、前記両導体板９６Ｈ，９６Ｌに跨るように終端抵抗ユニット８０が装着される。この終端抵抗ユニット８０は、前記の終端抵抗と、この終端抵抗に接続されるコンデンサとを内蔵し、このコンデンサがアース用電線８２及びその端末に装着された端子８４を介してアースに接続される。
【特許文献１】特開２００３−３３８８２５号公報（図２）
【発明の開示】
【発明が解決しようとする課題】
【０００７】
前記ＣＡＮ通信システムが実際に車両に搭載される態様として、当該システムに含まれる高圧側電線および低圧側電線が他の車載電線とともに束ねられてワイヤハーネスを構成する場合がある。この場合、図９に示される集線装置が当該ワイヤハーネスに付設されることになるが、当該装置は端子対毎に設けられる複数の端子ハウジング９４と、さらにこれらの端子ハウジング９４が嵌入される共通ハウジング９８とを備えた大掛かりなものであるため、その寸法（特に共通ハウジング９８の厚み寸法）が大きくて嵩張りやすく、本装置の搭載箇所を確保することは、ワイヤーハーネスの配索経路を設計する上での制約条件となっている。また、ワイヤーハーネスとしての最適箇所への搭載を妨げる要因ともなっている。かかる事情は、相互通信すべき電子機器の数が増えるほど顕著となる。
【０００８】
本発明は、このような事情に鑑み、コンパクトな構造でＣＡＮ通信システムを構築することが可能なワイヤハーネスを提供することを目的とする。
【課題を解決するための手段】
【０００９】
前記課題を解決するための手段として、本発明は、複数の電子機器からそれぞれ導出される高圧側電線および低圧側電線と、その高圧側電線同士及び低圧側電線同士をそれぞれ接続する接続回路とを含むＣＡＮ通信システムを構築するワイヤハーネスであって、前記各高圧側電線及び前記各低圧側電線を含む複数の電線が束ねられてなるワイヤハーネス本体と、このワイヤハーネス本体を構成する電線の周囲に巻付けられてその結束状態を保持する結束用テープと、前記各高圧側電線の端末及び前記各低圧側電線の端末にそれぞれ設けられる電線側端子と、前記各高圧側電線の端末に設けられた電線側端子同士を接続させるための高圧側ジョイントコネクタおよび前記各低圧側電線の端末に設けられた電線側端子同士を接続させるための低圧側ジョイントコネクタとを備え、前記高圧側ジョイントコネクタは、互いに特定方向に並びかつ前記各高圧側電線の端末に設けられた電線側端子と嵌合可能な嵌合部とこれらの嵌合部を相互に接続させる接続部とを有する接続用導体と、この接続用導体を保持するとともに、当該接続用導体の各嵌合部に嵌合される電線側端子を受入れるように特定方向に開口する端子挿入口を有する絶縁ハウジングとを備え、前記低圧側ジョイントコネクタは、互いに特定方向に並びかつ前記各低圧側電線の端末に設けられた電線側端子と嵌合可能な嵌合部とこれらの嵌合部を相互に接続させる接続部とを有する接続用導体と、この接続用導体を保持するとともに、当該接続用導体の各嵌合部に嵌合される電線側端子を受入れるように特定方向に開口する端子挿入口を有する絶縁ハウジングとを備え、前記両ジョイントコネクタは、前記端子挿入口が前記ワイヤハーネス本体と略平行な方向に開口する姿勢で前記ワイヤハーネス本体の外周面上に配設され、前記結束用テープは前記両ジョイントコネクタの配設位置においてこれらのジョイントコネクタと前記ワイヤハーネス本体とに跨って巻き付けられることにより当該ジョイントコネクタを当該ワイヤハーネス本体上に固定するものである。
【００１０】
このワイヤハーネスでは、従来のように高圧側電線及び低圧側電線が電子機器毎にまとめられるのではなく、高圧側電線群と低圧側電線群とに分けられて各電線群がそれぞれ高圧側ジョイントコネクタ及び低圧側ジョイントコネクタに接続されるとともに、これらのジョイントコネクタがワイヤハーネス本体に巻き付けられる結束用テープを利用してコンパクトな構造で効率よく当該ワイヤハーネス本体に固定される。
【００１１】
具体的に、前記各電子機器に接続される高圧側電線および低圧側電線のうち、高圧側電線の端末に設けられる電線側端子が共通の高圧側ジョイントコネクタの接続用導体の嵌合部に嵌合することにより相互接続されるとともに、低圧側電線の端末に設けられる電線側端子が共通の低圧側ジョイントコネクタの接続用導体の嵌合部に嵌合することにより相互接続される。そして、これらのジョイントコネクタとワイヤハーネス本体（例えば幹線）とに跨るように結束用テープが巻き付けられることにより、簡素かつコンパクトな構造で、当該ワイヤハーネス本体における電線の結束状態の保持と、当該ワイヤハーネス本体への前記各ジョイントコネクタの固定とが同時に実現される。従って、当該固定のために要するテープ巻き構造およびテープ巻き作業は従来に比して著しく簡略化され、また、ワイヤハーネス全体の構造も小型化及び簡素化される。
【００１２】
前記各ジョイントコネクタは高圧側電線の電線側端子同士または低圧側電線の電線側端子同士を相互接続するだけでよいので、従来の集線装置に比べて小型化が可能であり、このことが当該ジョイントコネクタをワイヤハーネス本体上に固定することを容易にする。特に、前記両ジョイントコネクタの接続用導体が単一の金属板からなり、これらをそれぞれ保持する絶縁ハウジングが、前記金属板の厚み方向に偏平な外形を有し、当該厚み方向と前記ワイヤハーネス本体の径方向とが略平行となる姿勢で当該ジョイントコネクタが当該ワイヤハーネス本体上に固定されるものでは、前記ジョイントコネクタの厚み方向の寸法を小さくすることが可能であるため、その厚み方向とワイヤハーネス本体の径方向とが略平行となる姿勢で当該ジョイントコネクタを当該ワイヤハーネス本体上に固定することにより、当該ワイヤハーネス本体から径方向への前記ジョイントコネクタの突出量を小さく抑えることができる。
【００１３】
また、本発明では、前記各高圧側電線及び前記各低圧側電線の端末には全て互いに共通の構造を有する電線側端子が設けられ、前記両ジョイントコネクタの接続用導体の嵌合部は前記各電線側端子と嵌合可能な形状であって互いに同一の形状を有するという態様をとることが可能であり、かかる態様では、電線側端子の構造の共通化及び各ジョイントコネクタにおける接続用導体の嵌合部の形状の共通化が、当該ジョイントコネクタや当該電線側端子の汎用性、量産性を飛躍的に高める。
【００１４】
また、前記高圧側ジョイントコネクタ及び前記低圧側ジョイントコネクタが互いに近傍となる位置に配設されれば、これらのジョイントコネクタ（ＣＡＮ用コネクタ）を同じワイヤハーネスに含まれる他のジョイントコネクタと使用すべきジョイントコネクタと判別することが容易になる。
【００１５】
特に、前記高圧側ジョイントコネクタ及び前記低圧側ジョイントコネクタが互いに前記ワイヤハーネス本体の周方向に隣接する位置に配設され、これらのジョイントコネクタを周方向に跨ぐように前記結束用テープが巻き付けられれば、ワイヤハーネス本体からのジョイントコネクタＪＣＨ，ＪＣＬの突出量を小さく抑えながら、両ジョイントコネクタをまとめて効率よくワイヤハーネス本体に固定することが可能である。
【発明の効果】
【００１６】
以上のように、本発明に係るワイヤハーネスでは、ＣＡＮ通信システムを構築するための電線が高圧側と低圧側とに分けられ、かつ、それぞれが接続されるジョイントコネクタがワイヤハーネス本体の結束状態を保持するための結束用テープを利用して当該ワイヤハーネス本体上に固定されることにより、コンパクトな構造で前記ＣＡＮ通信システムを構築することができる効果がある。
【発明を実施するための最良の形態】
【００１７】
本発明の好ましい実施の形態を図１〜図８を参照しながら説明する。
【００１８】
図１は、この実施の形態に係るワイヤハーネスにより構築されるＣＡＮ通信システムの概略を示す図である。このシステムは、複数の電子機器（図例では４つのＥＣＵ）同士のネットワーク通信を可能にするためのもので、各ＥＣＵに接続される電線対と、電線側端子２０と、高圧側ジョイントコネクタＪＣＨおよび低圧側ジョイントコネクタＪＣＬとにより構築される。前記各電線対は、高圧側電線１０Ｈと低圧側電線１０Ｌとで構成され、これらの電線１０Ｈ，１０Ｌの端末にそれぞれ前記電線側端子２０が装着される。そして、これらの電線側端子２０のうち、前記各高圧側電線１０Ｈに装着された電線側端子２０が共通の高圧側ジョイントコネクタＪＣＨに接続され、前記各低圧側電線１０Ｌに装着された電線側端子２０が共通の低圧側ジョイントコネクタＪＣＬに接続されることにより、前記ＣＡＮ通信システムが構築される。
【００１９】
図２及び図３は、前記ＣＡＮ通信システムを構築するワイヤハーネス１００の要部を示す斜視図である。このワイヤハーネス１００は、複数の電線１０が束ねられてなる幹線（ワイヤハーネス本体の一例）１２と、その結束状態を保持するために当該幹線１２の周囲に巻付けられる結束用テープ１８と、前記高圧側ジョイントコネクタＪＣＨ及び前記低圧側ジョイントコネクタＪＣＬとを含む。前記幹線１２を構成する電線１０の中には、前記高圧側電線１０Ｈ及び前記低圧側電線１０Ｌが含まれる。これらの電線１０Ｈ，１０Ｌの一方の端末は、対応するＥＣＵ（電子機器）に直接、あるいはワイヤハーネス１００に含まれる図略のコネクタを介して接続され、他方の端末に前記電線側端子２０がそれぞれ装着される。
【００２０】
前記高圧側ジョイントコネクタＪＣＨ及び前記低圧側ジョイントコネクタＪＣＬは、前記幹線１２上の周方向に互いに隣接する位置で当該幹線１２上に配設され、さらに、前記結束用テープ１８を利用して図３に示すように前記幹線１２上に固定される。その固定要領も含めてワイヤハーネス１００の製造方法は後に詳述する。
【００２１】
前記各電線側端子２０は、互いに共通の構造を有する。そのうち、前記高圧側電線１０Ｈの端末に装着される電線側端子２０は前記高圧側ジョイントコネクタＪＣＨに接続される一方、前記低圧側電線１０Ｌの端末に装着される電線側端子２０は前記低圧側ジョイントコネクタＪＣＬに接続される。すなわち、この実施の形態に係るワイヤハーネス１００の特徴として、各電子機器に接続される高圧側電線１０Ｈ及び低圧側電線１０Ｌは、その電子機器毎に対をなすにもかかわらず、その電線群は高圧側電線群と低圧側電線群とにグループ分けされ、各グループに属する電線がそれぞれ共通のジョイントコネクタＪＣＨまたはＪＣＬに接続される。
【００２２】
前記各電線側端子２０は、雌型の電気接触部２２と電線圧着部２４とを前後に有する。前記電気接触部２２は、中空角筒状の本体と、この本体内で撓み可能に設けられる接触ばね片２６とを有する。この電気接触部２２の底壁からは、前記ジョイントコネクタＪＣに係止されるための被係止片２８が外向きに突出している。
【００２３】
一方、前記各電線１０Ｈ，１０Ｌ，５０Ｂ，５０Ｅの端末には、予め、その絶縁被覆を除去して導体を露出させる処理が施されており、前記電線圧着部２４は、前記導体の端末及びその近傍の絶縁被覆をそれぞれ抱き込むように曲げ加工されることにより、前記各電線１０Ｈ，…の端末に圧着され、その導体に電気的に接続される。
【００２４】
次に、前記各ジョイントコネクタＪＣＨ，ＪＣＬの具体的構造を図４〜図７を併せて参照しながら説明する。この実施の形態に係る両ジョイントコネクタＪＣＨ，ＪＣＬは、互いに同一の構造を有し、単一の接続用導体３０と、この接続用導体３０を保持するための絶縁ハウジング４０とを備える。前記接続用導体３０は、導電材料からなり、前記各電線側端子２０に共通して接続されることによりこれらの電線側端子２０同士を接続させる。前記絶縁ハウジング４０は、合成樹脂等の絶縁材料により全体が一体に成型され、前記接続用導体３０を格納した状態で保持することが可能な形状、具体的には当該接続用導体３０の厚み方向に偏平な形状を有する。
【００２５】
この実施の形態に係る接続用導体３０は、単一の金属板を適当な形状に打ち抜くことにより形成されたもので、複数の嵌合部３２と、接続部３４とを一体に有する。前記接続部３４は、コネクタ幅方向に延びる短冊状をなし、この接続部３４からその長手方向と直交する方向に沿って同じ向きに前記各嵌合部３２が突出する。これらの嵌合部３２は、前記各電線側端子２０の雌型の電気接触部２２に嵌入可能な形状の雄型（タブ）端子を構成し、互いに同一の形状を有する。これらの嵌合部３２は、その幅方向と平行な方向（前記接続部３４の長手方向と平行な方向）に等間隔で配列されている。
【００２６】
前記絶縁ハウジング４０は、互いに平行な平板状の天壁４１及び底壁４２と、両壁４１，４２の幅方向両端部同士（すなわち左側端部同士及び右側端部同士）をそれぞれつなぐ一対の側壁４４とを一体に有する。これらの壁４１，４２，４４は絶縁ハウジング４０の外壁を構成する。この外壁は、前記接続用金属板の厚み方向に偏平な外形を有する。
【００２７】
前記外壁の後端部（図４〜図７では右端部）は、導体保持部４３を構成する。この導体保持部４３内に前記開口部４３ａから前記接続用導体３０の接続部３４が圧入されることにより、当該接続部３４が当該導体保持部４３に保持される。
【００２８】
前記導体保持部４３は、前記接続用導体３０の接続部３４を保持する形状を有する。具体的には、前記接続部３４よりも一回り大きく、前記接続用導体３０の嵌合部３２の配列方向に延びる外形を有し、前記接続部３４が後方（図８では左方）から挿入可能な接続用金属板挿入口４３ａを囲む。この挿入口４３ａから前記接続部３４が前記各嵌合部３２を前方に向けた姿勢で導体保持部４３内に圧入される。より詳しくは、当該接続部３４の幅方向両端部に図６に示すような突起３４ａが形成されており、これらの突起３４ａが前記導体保持部４３の内側面に食い込むことで前記導体保持部４３に前記接続部３４が固定されている。
【００２９】
前記導体保持部４３よりも前側の部分には、両側壁４４と平行な複数（図では３つ）の仕切り壁４５がコネクタ幅方向に配列される。各仕切り壁４５は、これに隣接する他の仕切り壁４５または側壁４４との間に端子収容室４７を画定する。各端子収容室４７は、前方に開口し、かつ、その開口は、前記電線側端子２０が挿入可能な形状の端子挿入口４７ａを構成する。各端子収容室４７内にはそれぞれ後方から前記接続用導体３０の各嵌合部３２が突出しており、当該端子収容室４７に挿入された電線側端子２０の電気接触部２２が前記嵌合部３２と嵌合することにより当該電線側端子２０と接続用導体３０とが電気的に導通する。
【００３０】
前記底壁４２には、前記各端子収容室４７に対応する位置にランス（端子係止部）４６が形成されている。各ランス４６は、前記底壁４２に形成された略コ字状のスリット４２ａ（図７）により囲まれていて、当該底壁４２の本体に対してその厚み方向に撓み変形することが可能な自由端部を有し、その自由端部に爪状の係止部４６ａが形成されている。この係止部４６ａは、挿入される電線側端子２０と接触することにより図４に示すように撓み変形して当該電線側端子２０の通過を許容し、その通過後に正規の位置に弾性的に復帰することにより前記電線側端子２０の被係止部２８を後方から拘束する。つまり、電線側端子２０をこの電線側端子２０が前記嵌合部３２と嵌合する位置に係止する。
【００３１】
従って、前記ジョイントコネクタＪＣＨ（ＪＣＬ）では、その端子挿入口４７ａから端子収容室４７内に前記各電線１０Ｈ（１０Ｌ）の端末の電線側端子２０が挿入されて接続用導体３０の嵌合部３２に嵌合されることにより、当該接続用導体３０を媒体とした電線側端子２０同士の接続、すなわち、各ＥＣＵにつながる高圧側電線１０Ｈ同士の電気的接続と各ＥＣＵにつながる低圧側電線１０Ｌ同士の電気的接続が達成される。
【００３２】
次に、この実施の形態に係るワイヤハーネス１００の製造方法を、図８を併せて参照しながら説明する。
【００３３】
１）電線１０の配索
図８に示されるように、複数本の電線１０が束ねられることにより幹線１２が形成されるとともに、その電線１０のうちＣＡＮ通信システムを構成する高圧側電線１０Ｈ及び低圧側電線１０Ｌ（図８では高圧側電線１０Ｈのみ図示）が分岐電線として前記幹線１２から引き出される。これら高圧側電線１０Ｈ及び低圧側電線１０Ｌの端末には、予め電線側端子２０がそれぞれ装着されている。
【００３４】
２）ジョイントコネクタＪＣＨ，ＪＣＬの接続
前記各高圧側電線１０Ｈの端末に共通の高圧側ジョイントコネクタＪＣＨが接続されることにより、この高圧側ジョイントコネクタＪＣＨを媒介として当該高圧側電線１０Ｈ同士が電気的に接続されるとともに、前記各低圧側電線１０Ｌの端末に共通の低圧側ジョイントコネクタＪＣＬが接続されることにより、この低圧側ジョイントコネクタＪＣＬを媒介として当該低圧側電線１０Ｌ同士が電気的に接続される。これらの接続により、ＣＡＮ通信システムが構築される。具体的には、前記高圧側電線１０Ｈの端末に装着されている電線側端子２０が高圧側ジョイントコネクタＪＣＨの適当な端子挿入口４７ａから端子収容室４７内に挿入され、当該高圧側ジョイントコネクタＪＣＨの接続用導体３０の適当な嵌合部３２に嵌合される。すなわち、図８に示すように前記各高圧側電線１０Ｈの端末に共通のジョイントコネクタＪＣＨが接続される。同様に、前記低圧側電線１０Ｌの端末に装着されている電線側端子２０が低圧側ジョイントコネクタＪＣＬの適当な端子挿入口４７ａから端子収容室４７内に挿入され、当該低圧側ジョイントコネクタＪＣＬの接続用導体３０の適当な嵌合部３２に嵌合されることにより、当該接続用導体３０が前記低圧側電線１０Ｌに接続される。
【００３５】
３）幹線１２上へのジョイントコネクタＪＣＨ，ＪＣＬの設置
前記のようにして高圧側電線１０Ｈの群及び低圧側電線１０Ｌの群にそれぞれ接続されたジョイントコネクタＪＣＨ，ＪＣＬは、前記幹線１２上に設置される。この実施の形態では、図２及び図３に示されるように、前記幹線１２の周方向に互いに隣接する位置に両ジョイントコネクタＪＣＨ，ＪＣＬが配されるとともに、それぞれの絶縁ハウジング４０の厚み方向が幹線１２の径方向と略平行となる姿勢であって前記各端子挿入口４７ａが幹線１２の長手方向と略平行な方向に開口する姿勢で、各ジョイントコネクタが当該幹線１２上に設置される。
【００３６】
このとき、各ジョイントコネクタＪＣＨ，ＪＣＬにそれぞれ接続されている高圧側電線１０Ｈ，１０Ｌ（分岐電線）は、ほぼ直線状に延びた状態で幹線１２に沿うように配線されてもよいし、その中間部分が畳まれるように配線されてもよい。また、このジョイントコネクタＪＣＨ，ＪＣＬの設置は、例えば次のテープ巻き作業の直前に行われて作業者が指等で前記ジョイントコネクタＪＣＨ，ＪＣＬを押えておくだけで行われてもよいし、粘着テープ等によるジョイントコネクタＪＣＨ，ＪＣＬの仮止めが行われてもよい。
【００３７】
４）テープ巻き作業
前記幹線１２を構成する電線１０の周囲に、その結束状態を保持するように結束用テープ１８が螺旋状に巻付けられる。この巻付けは、図２に示すように幹線１２の全面を覆うように行われてもよいし、幹線１２の一部が露出する隙間をおいて行われてもよい。
【００３８】
さらに、前記ジョイントコネクタＪＣＨ，ＪＣＬが配設される位置では、図２に示すように、このジョイントコネクタＪＣＨ，ＪＣＬを周方向に跨ぎ、かつ、これらにつながる分岐電線（高圧側電線１０Ｈおよび低圧側電線１０Ｌ）と前記幹線１２とに跨るようにしてこれらの周囲に一括して前記結束用テープ１８が巻付けられる。これにより、当該結束用テープ１８を利用した幹線１２上へのジョイントコネクタＪＣＨ，ＪＣＬの固定が効率よく行われ、当該ジョイントコネクタＪＣＨ，ＪＣＬを含むワイヤハーネス１００が完成する。
【００３９】
このようにして固定されたジョイントコネクタＪＣＨ，ＪＣＬは、前記結束用テープ１８によって外側から覆われた状態にあり、これらと他の部材との直接的な接触が阻止されるので、例えば図９に示すような大掛かりな集線装置が幹線１２からぶら下がる構造に比べ、ワイヤハーネス１００の取扱いは容易となる。そして、前記ジョイントコネクタＪＣＨ，ＪＣＬは、それぞれ、高圧側電線同士及び低圧側電線同士を短絡させればよいものので、例えば図９に示される集線装置に比べて著しい小型化（特に厚み寸法の削減）が可能であり、このことは、これらジョイントコネクタＪＣＨ，ＪＣＬを幹線１２上に固定することを容易にする。
【００４０】
特に、この実施の形態に係るジョイントコネクタＪＣＨ，ＪＣＬでは、その接続用導体３０が単一の金属板により形成され、その絶縁ハウジング４０の外形が図示のような偏平な形状（前記接続用導体３０の板厚方向に偏平な形状）であるため、その厚み方向が幹線１２等のワイヤハーネス本体の径方向と略平行となる姿勢で前記各ジョイントコネクタＪＣＨ，ＪＣＬが幹線１２上に固定されることにより、当該幹線１２からのジョイントコネクタＪＣの突出寸法が有効に抑えられる。この突出量の削減は、ワイヤハーネス１００全体の細線化に寄与する。
【００４１】
なお、本発明において、前記各電線側端子２０及びこれらが接続されるジョイントコネクタＪＣＨ，ＪＣＬの具体的構造は図示の構造に限定されない。例えば、高圧側電線１０Ｈと低圧側電線１０Ｌとで互いに異なる構造の電線側端子及びジョイントコネクタが用いられてもよい。ただし、前記各電線側端子２０の構造の共通化および前記各嵌合部３２の形状の共通化は、当該電線側端子２０および当該接続用導体３０の汎用性、量産性の向上に大きく寄与し得る。
【００４２】
また、前記高圧側ジョイントコネクタＪＣＨと前記低圧側ジョイントコネクタＪＣＬの相対位置関係は、図示の態様に限定されず、例えばこれらが互いにワイヤハーネス本体の長手方向（例えば幹線の長手方向）に並ぶように配置されてもよいし、同一の位置から分岐する分岐電線の一部が高圧側ジョイントコネクタＪＣＨに、他の分岐電線が底圧側ジョイントコネクタＪＣＬにそれぞれ接続される態様でもよい。あるいは、両ジョイントコネクタＪＣＨ，ＪＣＬが相互に重ねて配置されてもよい。しかし、図示のように両ジョイントコネクタＪＣＨ，ＪＣＬが互いにワイヤハーネス本体の周方向に隣接する位置に配設され、これらのジョイントコネクタＪＣＨ，ＪＣＬを周方向に跨ぐように前記結束用テープ１８が巻き付けられることは、ワイヤハーネス本体からのジョイントコネクタＪＣＨ，ＪＣＬの突出量を小さく抑えながら、両ジョイントコネクタをまとめて効率よくワイヤハーネス本体（例えば幹線１２）に固定することを可能にする。しかも、共通のＣＡＮ通信システムを構築する高圧側ジョイントコネクタＪＣＨおよび低圧側ジョイントコネクタＪＣＬが互いに近傍となる位置に配設されることは、これらのジョイントコネクタ（ＣＡＮ用コネクタ）を同じワイヤハーネスに含まれる他のジョイントコネクタと使用すべきジョイントコネクタと判別することを容易にする。
【００４３】
本発明では、高圧側回路と低圧側回路との間に介在する終端抵抗の有無も特に限定されない。当該終端抵抗を介在させる手段としては、例えば図１及び図２に示されるジョイントコネクタＪＣＨ，ＪＣＬ同士の間に終端抵抗ユニットが装着されることで、各ジョイントコネクタＪＣＨ，ＪＣＬに含まれる接続用導体３０同士の間に終端抵抗が介設されてもよいし、ワイヤハーネス本体側で高圧側電線１０Ｈと低圧側電線１０Ｌとの間に終端抵抗が介在するように配線がなされてもよい。
【図面の簡単な説明】
【００４４】
【図１】本発明の実施の形態に係るワイヤハーネスにおいて構築されるＣＡＮ通信システムの概略を示す図である。
【図２】前記ワイヤハーネスにおいてその幹線上に高圧側ジョイントコネクタおよび低圧側ジョイントコネクタが結束用テープを利用して固定された状態を当該ジョイントコネクタの導体保持部側から見た斜視図である。
【図３】前記幹線上に前記各ジョイントコネクタが設置された状態を当該ジョイントコネクタの端子挿入口側から見た斜視図である。
【図４】前記ワイヤハーネスに含まれる高圧側電線または低圧側電線の端末に装着された電線側端子が前記ジョイントコネクタに挿入される途中の状態を示す断面側面図である。
【図５】前記電線側端子が前記ジョイントコネクタに完全に挿入された状態を示す断面側面図である。
【図６】前記ジョイントコネクタの断面平面図である。
【図７】前記ジョイントコネクタの底面図である。
【図８】本発明の実施の形態に係るワイヤハーネスの製造過程において高圧側電線の端末にジョイントコネクタが接続された状態を示す斜視図である。
【図９】従来のＣＡＮ通信システム用集線装置を示す分解斜視図である。
【符号の説明】
【００４５】
ＪＣＨ  高圧側ジョイントコネクタ
ＪＣＬ  低圧側ジョイントコネクタ
１０    電線
１０Ｈ  高圧側電線
１０Ｌ  低圧側電線
１２    幹線（ワイヤハーネス本体）
１８    結束用テープ
２０    電線側端子
３０    接続用導体
３２    嵌合部
３４    接続部
４０    絶縁ハウジング
４７ａ  端子挿入口
１００  ワイヤハーネス
【図１】
2010086765.tif 000003
【図２】
2010086765.tif 000004
【図３】
2010086765.tif 000005
【図４】
2010086765.tif 000006
【図５】
2010086765.tif 000007
【図６】
2010086765.tif 000008
【図７】
2010086765.tif 000009
【図８】
2010086765.tif 000010
【図９】
2010086765.tif 000011